(57)【要約】【課題】デフォーカス技術を用いた三次元（３Ｄ）撮像装置および方法を開示する。【解決手段】この装置は、１つのレンズと、レンズを遮る空間的に偏向された複数の絞り開口と、被写体から出て、かつレンズと空間的に偏向された複数の絞り開口とを通過した光を獲得するために動作可能なセンサーと、センサー情報を処理するため、かつ被写体の３Ｄ画像を生成するために、センサーと通信可能に接続されたプロセッサとを有する。空間的に偏向された複数の絞り開口は、形状、サイズおよび／または光軸からの距離が異なる。【選択図】  図３Ａ
2010525745.tif 000002
【特許請求の範囲】
【請求項１】
三次元（３Ｄ）撮像装置であって、
１つのレンズと、
前記レンズを遮る空間的に偏向された複数の絞り開口と、
被写体から出て、かつ前記レンズと前記空間的に偏向された複数の絞り開口とを通過した光を獲得するために動作可能なセンサーと、
前記センサー情報を処理するため、かつ前記被写体の３Ｄ画像を生成するために、前記センサーと通信可能に接続されたプロセッサと
を有する装置。
【請求項２】
前記空間的に偏向された複数の絞り開口は、２つの絞り開口を有する請求項１に記載の装置。
【請求項３】
前記空間的に偏向された複数の絞り開口のそれぞれは、ある形状を有するが、ここで、前記絞り開口のうちの少なくとも１つの絞り開口の形状は、他とは異なる請求項２に記載の装置。
【請求項４】
前記空間的に偏向された複数の絞り開口のそれぞれは、あるサイズを有するが、ここで、前記絞り開口のうちの少なくとも１つの絞り開口のサイズは、他とは異なる請求項２に記載の装置。
【請求項５】
前記空間的に偏向された複数の絞り開口のそれぞれは、光軸の中心からある距離を置いて位置づけられて前記レンズを遮るが、ここで、前記絞り開口のうちの少なくとも１つの絞り開口の前記光軸の中心からの距離は、他とは異なり、これにより、前記各絞り開口の前記光軸の中心からの前記距離が、時間遅延順次撮像時に、被写体により生成された画像の、撮像装置上で観察される位置の変化の率を決める請求項２に記載の装置。
【請求項６】
前記空間的に偏向された複数の絞り開口のそれぞれは、ある形状を有するが、ここで、前記絞り開口のうちの少なくとも１つの絞り開口の形状は、他とは異なる請求項１に記載の装置。
【請求項７】
前記空間的に偏向された複数の絞り開口のそれぞれは、あるサイズを有するが、ここで、前記絞り開口のうちの少なくとも１つの絞り開口のサイズは、他とは異なる請求項１に記載の装置。
【請求項８】
前記空間的に偏向された複数の絞り開口のそれぞれは、光軸の中心からある距離を置いて位置づけられて前記レンズを遮るが、ここで、前記絞り開口のうちの少なくとも１つの絞り開口の前記光軸の中心からの距離は、他とは異なり、これにより、前記各絞り開口の前記光軸の中心からの前記距離が、時間遅延順次撮像時に、被写体により生成された画像の、撮像装置上で観察される位置の変化の率を決める請求項１に記載の装置。
【請求項９】
三次元（３Ｄ）撮像方法であって、
被写体から出て、かつ１つのレンズと、空間的に偏向された複数の絞り開口とを通過した光を、センサーを用いて獲得する行為と、
前記被写体を表現する３Ｄ画像を生成するために、前記センサーからの情報を処理する行為と
を含む方法。
【請求項１０】
前記空間的に偏向された複数の絞り開口は、２つの絞り開口を有する請求項９に記載の装置。
【請求項１１】
前記空間的に偏向された複数の絞り開口のそれぞれは、ある形状を有するが、ここで、前記絞り開口のうちの少なくとも１つの絞り開口の形状は、他とは異なる請求項１０に記載の方法。
【請求項１２】
前記空間的に偏向された複数の絞り開口のそれぞれは、あるサイズを有するが、ここで、前記絞り開口のうちの少なくとも１つの絞り開口のサイズは、他とは異なる請求項１０に記載の方法。
【請求項１３】
前記空間的に偏向された複数の絞り開口のそれぞれは、光軸の中心からある距離を置いて位置づけられて前記レンズを遮るが、ここで、前記絞り開口のうちの少なくとも１つの絞り開口の前記光軸の中心からの距離は、他とは異なる請求項１０に記載の方法。
【請求項１４】
さらに、撮像装置に対する被写体の位置と、撮像レンズに対する被写体の位置とからなる群から選択される１つを変更することにより、時間をかけて順次被写体を撮像する行為を含み、これにより、前記絞り開口のうちの少なくとも１つの絞り開口の前記光軸の中心からの前記距離が、時間遅延順次撮像時に、被写体点の、撮像装置上で観察される位置の変化の率を決める請求項１３に記載の方法。
【請求項１５】
前記空間的に偏向された複数の絞り開口のそれぞれは、ある形状を有するが、ここで、前記絞り開口のうちの少なくとも１つの絞り開口の形状は、他とは異なる請求項９に記載の方法。
【請求項１６】
前記空間的に偏向された複数の絞り開口のそれぞれは、あるサイズを有するが、ここで、前記絞り開口のうちの少なくとも１つの絞り開口のサイズは、他とは異なる請求項９に記載の方法。
【請求項１７】
前記空間的に偏向された複数の絞り開口のそれぞれは、光軸の中心からある距離を置いて位置づけられて前記レンズを遮るが、ここで、前記絞り開口のうちの少なくとも１つの絞り開口の前記光軸の中心からの距離は、他とは異なる請求項９に記載の方法。
【請求項１８】
さらに、撮像装置に対する被写体の位置と、撮像レンズに対する被写体の位置とからなる群から選択される１つを変更することにより、時間をかけて順次被写体を撮像する行為を含み、これにより、前記絞り開口のうちの少なくとも１つの絞り開口の前記光軸の中心からの前記距離が、時間遅延順次撮像時に、被写体点の、撮像装置上で観察される位置の変化の率を決める請求項１７に記載の方法。
【発明の詳細な説明】
【技術分野】
【０００１】
本発明は、三次元（３Ｄ）撮像装置および方法に関し、とりわけ、デフォーカスに基づく静的および動的３Ｄ撮像用の空間的に偏向した絞り開口形状および位置（ＳＢＰＳＰ）を有する絞り開口システムに関する。
【背景技術】
【０００２】
本願は非仮特許出願であり、米国特許仮出願第６０／８８１，７７６号（２００７年１月２２日出願、発明の名称「デフォーカス技術に基づく単一レンズ三次元撮像装置」）、米国特許仮出願第６０／８８１，７７９号（２００７年１月２２日出願、発明の名称「デフォーカス技術に基づく携帯用三次元マッピング装置」、および、米国特許仮出願第６０／８８１，７６２号（２００７年１月２２日出願、発明の名称「カメラベースの定量三次元撮像システムにおける必要な視点の数を低減する方法」）、米国特許仮出願第６０／９２５，９１８号（２００７年４月２３日出願、発明の名称「単一レンズ、単一絞り開口、単一センサー３Ｄ撮像装置（Ｓｉｎｇｌｅ−  ｌｅｎｓ，  Ｓｉｎｇｌｅ−ａｐｅｒｔｕｒｅ，  Ｓｉｎｇｌｅ−ｓｅｎｓｏｒ  ３−Ｄ  Ｉｍａｇｉｎｇ  Ｄｅｖｉｃｅ）」）、米国特許仮出願第６０／９２６，０１０号（２００７年４月２３日出願、発明の名称「偏光で符号化された絞り開口マスクを偏光に感度を有するセンサーと組み合わせて用いた単一レンズ三次元撮像（Ｓｉｎｇｌｅ  Ｌｅｎｓ  Ｔｈｒｅｅ−Ｄｉｍｅｎｓｉｏｎａｌ  ｉｍａｇｉｎｇ  ｕｓｉｎｇ  Ｐｏｌａｒｉｚａｔｉｏｎ−Ｃｏｄｅｄ  Ａｐｅｒｔｕｒｅ  Ｍａｓｋ  Ｃｏｍｂｉｎｅｄ  ｗｉｔｈ  ａ  Ｐｏｌａｒｉｚａｔｉｏｎ−Ｓｅｎｓｉｔｉｖｅ  Ｓｅｎｓｏｒ）」）、米国特許仮出願第６０／９２６，０２３号（２００７年４月２３日出願、発明の名称「単一センサーを用いたデフォーカスに基づく静的および動的３Ｄ撮像用の空間的に偏向したピンホール形状および位置（ＳＤＰＳＰ）を有する絞り開口システム（Ａｎ  Ａｐｅｒｔｕｒｅ  Ｓｙｓｔｅｍ  ｗｉｔｈ  Ｓｐａｔｉａｌｌｙ  Ｂｉａｓｅｄ  Ｐｉｎｈｏｌｅ  Ｓｈａｐｅｓ  ａｎｄ  Ｐｏｓｉｔｉｏｎ  （ＳＤＰＳＰ）  ｆｏｒ  Ｓｔａｔｉｃ  ａｎｄ  Ｄｙｎａｍｉｃ  ３−Ｄ  Ｄｅｆｏｃｕｓｉｎｇ−Ｂａｓｅｄ  Ｉｍａｇｉｎｇ  ｗｉｔｈ  Ｓｉｎｇｌｅ  Ｓｅｎｓｏｒ）」）による優先権主張をする。
【０００３】
三次元（３Ｄ）撮像は、撮像技術改良の恩恵を受ける常に進化し続けている分野である。強化された三次元撮像は、例えば、（定量的三次元撮像により）撮像された被写体の定量的な情報を生成するなど、多様な目的に使用可能である。しかし、現在の撮像技術は、定量的な三次元撮像を十分支援することはできていない。例えば、撮像系の焦点面上にない点が、撮像系により撮像される時、センサーにより検出された獲得点は、デフォーカスであるといわれる。撮像系が大きな絞り開口を有する場合、この非合焦点は、ぼやけて現れる。したがって、点の画像のぼやけは、点から焦点面への空間距離を定量的に決定するために用いられうると提案されている。また、焦点面の位置を知ることができれば、撮像系を用いて定量的な三次元撮像を行うことができると提案されている。点の三次元位置を再構成するためには、ぼやけた円盤の大きさおよび／または強度（Ｚ）と、センサー上の点の位置（Ｘ、Ｙ）とを測定することのみが必要である。
【０００４】
しかしながら、実践的には、このようなシステムを効果的に実現するのは難しい。第１に、ぼやけた画像は、センサー上の多大なスペースを占有するので、重複する画像を分離する洗練されたアルゴリズムが必要である。第２に、（焦点面が光学系に非常に接近していない限り）光学系に入射する光量は、合焦点（focused point）と非合焦点（defocused point）との間で感知できるほど変わらない。したがって、ぼやけた画像も、合焦画像と同じ量のエネルギーをセンサー上へ投射するが、より大きな面積に広がっている。デフォーカス画像の強度は、その面積に反比例しており、その結果、ぼやけに基づいて焦点面と点との間の距離を定量的に測定するには、極端に大きい動的範囲を有するセンサーが必要である。実際のレンズでは回折効果もあり、これにより、ぼやけた画像が、ある深度領域では、広いガウス分布というよりはむしろ輪形状に見え、ソフトウェア処理がより複雑になる。例えば、非特許文献１を参照されたい。レンズ収差または回折がない場合でさえ、深度情報はぼやけたスポットの直径の測定結果より導きだされるので、撮像された点の強度がこの測定結果に影響を与えるという事実により、画像処理は複雑になる。例えば、２つの非合焦点Ａ・Ｂが同じデフォーカス量を有するが、点Ａのほうが点Ｂよりも明るい場合、点Ｂの画像は、その場面において背景照度から同じように浮き上がっていないという理由だけで、通常、点Ａの画像よりも小さな直径を有するものとして測定されるであろう。
【０００５】
元来の「デフォーカス」の概念では、このようなぼやけに基づくシステムにおける深度情報は、画像を形成する光線束の周辺（外側）光により伝えられる。例えば、非特許文献２を参照されたい。撮像系の感度を決定付けるのは、これらの光線がセンサー面となす角度である。したがって、画像を形成するために周辺光のみが通過できるように、撮像系中に小さな絞り開口を軸外に置くことによる等価の測定も可能であるべきである。もし上述のように、ぼやけシステムが、その大きな絞り開口を小さな絞り開口に代えて、大きい絞り開口の周辺部の任意の場所に有する場合、非合焦点の画像は、ぼやけ画像の周辺にあったであろうものの上に位置する小さな点となる。結果として得られるのは、ぼやけたスポットの大きさにより伝えられる深度情報ではなく、はるかにより小さいスポット中にある横方向のオフセットにより伝えられる深度情報である。画像上のスポットの位置の測定における感度は、その大きさを測定するよりも、強度差に対する感度がずっと低い。
【０００６】
小さな絞り開口を用いることにより、ぼやけに基づくシステムに伴う動的範囲の問題は緩和されるが、これは、小さな絞り開口の大きなＦナンバーにより、回折ぼやけ（デフォーカスぼやけではなく）が画像中の主なぼやけの原因になるからである。これは、焦点面からの距離が長い領域では、画像がほぼ同じ大きさになることを意味する。
【０００７】
軸外絞り開口を用いるということは、空間内の点の位置の再現が、ここで、単一の点のセンサー上のすべての画像を見つけ、これらの画像間の距離を測定することを含むということを意味する。画像は、絞り開口構成と同じパターンで現れる。例えば、正三角形の頂点として、３つの小さな絞り開口が用いられる場合、非合焦点の画像は、正三角形中に配された３つの小さなスポットとなる。絞り開口の三角形に対するこれらの画像の三角形の方向（orientation）により、非合焦点が焦点面の前方（ａｈｅａｄ  ｏｆ）ないし前（ｉｎ  ｆｒｏｎｔ  ｏｆ）にあるか否かがわかる。さらに、画像の三角形の大きさは、非合焦点と焦点面との間の距離に関連する。合焦点の場合は、この三角形の大きさはゼロになり、これは、全ての３つの画像が互いに重なり合うことにより生じる。三角形は、デフォーカスの量が増加するにつれ、大きくなる。複数の小さな画像は、１つの大きなぼやけた像よりも、センサー上で占有するスペースが小さく、したがって、この構成により重複問題が緩和される。
【０００８】
再現におけるマッチング問題は、新しい問題を引き起こす。撮像される被写体が、特徴のない点の集合である場合、画像は識別不可能となり、その相対的な位置によってのみ（例えば、ある画像上中の正三角形を形成するある許容誤差内の全てのドットを見つけることによって）マッチング可能である。この比較的緩やかなマッチングの基準では、ミスマッチまたは「ゴースト」の数を減らすために、３つ以上の絞り開口を用いることが必要となる。
【０００９】
単一の軸外絞り開口は、深度情報を記録するが、しかし、Ｚは、撮像される点の面内位置から分離することはできない。２つの絞り開口は、深度情報を記録し、かつ、Ｚに依存せずに面内位置を抽出可能となる。実地では、２つの絞り開口のみで、ランダムな点の大群を再現することは不可能であるが、これは、画像がミスマッチされる際には、多くのゴースト粒子が生成されるからである。さらに、２つの画像のみから、ある粒子が焦点面の前または後にあるかを知ることは不可能である。３つの絞り開口により、ミスマッチは低減され、粒子から焦点面への距離の符号が、複数画像により形成された三角形の方向によりわかる。例えば、非特許文献２を参照されたい。
【００１０】
デフォーカス概念の元来の実地での実装は、３つの軸外絞り開口を備えた単一のレンズからなり、これらの３つの軸外絞り開口が１つの白黒センサー上に撮像することよりなる。（すなわち、３つは、許容可能な結果を生じさせるための絞り開口の最低限の数であると考えられた。）デフォーカス測定は、焦点面に対して相対的な点の位置の測定であるので、所望の点の絶対的な位置を知るために、装置の位置を知ることが必要である点に留意すべきである。
【００１１】
この３つの軸外絞り開口が、１つの白黒センサー上へ撮像するのにも欠点がある。領域内の点の密度が高いときには、センサーの過密は、まだ問題となる。この場合、各点は、センサー上に３つまでの画像を有し、まだ、動的範囲の問題が存在する。（すなわち、焦点面上の点は、センサー上で合致する３つの画像を有し、したがって、非合焦点よりも３倍明るく見える。）動的範囲の問題は、選択的にこの体積を照射し、焦点面上の点を撮像しないようにすることにより、克服されうる。
【００１２】
特許文献１および特許文献２に記載されているように、過密問題の１つの解決方法は、各絞り開口を別のセンサーを用いて撮像させることである。これにより、マッチング基準が増えるが、これは、この場合画像上の各スポットが、絞り開口構成の頂点のうちの１つのみになりうるからである。各スポットの源（絞り開口）がわかるので、マッチング過程の曖昧さが少し低減する。
【００１３】
さらに、センサーを追加する（例えば、電荷結合素子（ＣＣＤ））ことにより、１つのセンサーシステムに比較して、製造の複雑さが増すことに加えて、コストが高く、サイズがより大きくなるという欠点がある。複数のセンサーの配置は、その配列、構造安定性に対する課題をもたらす。複数センサーは、温度、振動およびこれ以外の環境影響効果により異なる影響を受け、較正誤差が生じがちである。
【００１４】
上述の理由により、マッチング問題を緩和または解消する定量的な三次元撮像系の必要性が存在する。この撮像系は、簡素性および小型化のために、単一のレンズかつ単一のセンサー構成で実現可能であり、また、所望の場合、複数レンズかつ複数センサー構成へと容易に拡張可能であるべきである。
【先行技術文献】
【特許文献】
【００１５】
【特許文献１】米国特許第６，９５５，６５６号明細書
【特許文献２】米国特許第７，００６，１３２号明細書
【非特許文献】
【００１６】
【非特許文献１】ウー・Ｍ（Ｗｕ，Ｍ．）、ロバーツ・Ｊ・Ｗ（Ｒｏｂｅｒｔｓ，Ｊ．Ｗ．）およびバックレー・Ｍ（Ｂｕｃｋｌｅｙ，Ｍ．）著、「単一カメラを用いたミクロン尺度の蛍光粒子の三次元追跡（Ｔｈｒｅｅ  ｄｉｍｅｎｓｉｏｎａｌ  ｆｌｕｏｒｅｓｃｅｎｔ  ｐａｒｔｉｃｌｅ  ｔｒａｃｋｉｎｇ  ａｔ  ｍｉｃｒｏｎ−ｓｃａｌｅ  ｕｓｉｎｇ  ａ  ｓｉｎｇｌｅ  ｃａｍｅｒａ）」、液体における実験（Ｅｘｐｅｒｉｍｅｎｔｓ  ｉｎ  Ｆｌｕｉｄｓ）、２００５年、３８巻、４６１−４６５頁
【非特許文献２】ウィラート・Ｃ・Ｅ（Ｗｉｌｌｅｒｔ，Ｃ．Ｅ．）およびガリブ・Ｍ（Ｇｈａｒｉｂ，Ｍ．）著、「単一カメラを用いた三次元粒子撮像（Ｔｈｒｅｅ−ｄｉｍｅｎｓｉｏｎａｌ  ｐａｒｔｉｃｌｅ  ｉｍａｇｉｎｇ  ｗｉｔｈ  ａ  ｓｉｎｇｌｅ  ｃａｍｅｒａ）」、液体における実験（Ｅｘｐｅｒｉｍｅｎｔｓ  ｉｎ  Ｆｌｕｉｄｓ）、１９９２年、１２巻、３５３−３５８頁
【発明の概要】
【発明が解決しようとする課題】
【００１７】
本発明は、三次元（３Ｄ）撮像装置および方法に関し、とりわけ、デフォーカスに基づく静的および動的３Ｄ撮像用の空間的に偏向したピンホール形状および位置（ＳＢＰＳＰ）を有する絞り開口システムに関する。
【課題を解決するための手段】
【００１８】
本発明の装置は、１つのレンズと、レンズを遮る空間的に偏向された複数の絞り開口と、被写体から出て、かつレンズと空間的に偏向された複数の絞り開口とを通過した光を獲得するために動作可能なセンサーと、センサー情報を処理するため、かつ被写体の３Ｄ画像を生成するために、センサーと通信可能に接続されたプロセッサとを有する。
【００１９】
別の実施形態では、空間的に偏向された複数の絞り開口は、２つの絞り開口を有する。
【００２０】
さらに別の実施形態では、空間的に偏向された複数の絞り開口のそれぞれは、ある形状を有するが、絞り開口のうちの少なくとも１つの絞り開口の形状は、他とは異なる。
【００２１】
さらなる実施形態では、空間的に偏向された複数の絞り開口のそれぞれは、あるサイズを有するが、絞り開口のうちの少なくとも１つの絞り開口のサイズは、他とは異なる。
【００２２】
さらに別の実施形態では、空間的に偏向された複数の絞り開口のそれぞれは、光軸の中心からある距離を置いて位置づけられてレンズを遮るが、これにより、絞り開口のうちの少なくとも１つの絞り開口の光軸の中心からの距離は、他とは異なり、これにより、各絞り開口の光軸の中心からの距離が、時間をおいて順次撮像した時に（時間遅延順次撮像時）に、被写体により生成された画像の、撮像装置上で観察される位置の変化の率を決める。
【００２３】
当業者には理解されうるであろうが、本発明は、三次元（３Ｄ）撮像方法も含み、この方法は被写体から出て、かつ１つのレンズと、空間的に偏向された複数の絞り開口とを通過した光を、センサーを用いて獲得する行為と、被写体を表現する３Ｄ画像を生成するために、センサーからの情報を処理する行為とを含む。
【００２４】
別の実施形態では、空間的に偏向された複数の絞り開口は、２つの絞り開口を有する。
【００２５】
さらなる実施形態では、空間的に偏向された複数の絞り開口のそれぞれは、ある形状を有するが、絞り開口のうちの少なくとも１つの絞り開口の形状は、他とは異なる。
【００２６】
さらに別の実施形態では、空間的に偏向された複数の絞り開口のそれぞれは、あるサイズを有するが、絞り開口のうちの少なくとも１つの絞り開口のサイズは、他とは異なる。
【００２７】
別の実施形態では、空間的に偏向された複数の絞り開口のそれぞれは、光軸の中心からある距離を置いて位置づけられてレンズを遮るが、絞り開口のうちの少なくとも１つの絞り開口の光軸の中心からの距離は、他とは異なる。
【００２８】
本発明の方法のさらに別の実施形態では、この方法は、さらに撮像装置に対する被写体の位置と、撮像レンズに対する被写体の位置とからなる群から選択される１つを変更することにより、時間をかけて順次被写体を撮像する行為を含み、これにより、絞り開口のうちの少なくとも１つの絞り開口の光軸の中心からの距離が、時間遅延順次撮像時に、被写体点の、撮像装置上で観察される位置の変化の率を決める。
【００２９】
本発明の目的、特徴および利点は、以下の図面と組み合わせて、本発明の開示される態様の以下の詳細な説明を参照すると明らかであろう。
【図面の簡単な説明】
【００３０】
【図１Ａ】センサーを含む帯域通過フィルターシステムを示す図である。
【図１Ｂ】図１Ａのセンサーにより受け取られた実点に関する、デフォーカスの複数のパターンで符号化された画像獲得を示す図である。
【図１Ｃ】図１Ｂ中、枠で示した領域の拡大図であり、赤色ドットと対応する緑色ドットとの形式で、複数の波長でアドレス可能なパターンをマッチングする方法を示す図である。
【図１Ｄ】焦点距離（Ｌ）と、図１Ｃにおけるマッチ粒子および「ゴースト」粒子のＺ距離との関係を示すチャートを示す図である。
【図２Ａ】偏光フィルター撮像系を示す図である。
【図２Ｂ】偏光フィルター撮像系を示す図である。
【図３Ａ】点を撮像するための絞り開口システムを示す図である。
【図３Ｂ】点を撮像するための絞り開口システムを示す図である。
【図４Ａ】単一孔のマスクを有する同期した単一絞り開口システムを示す図であり、このマスクが、第１位置Ａにあるところを示す図である。
【図４Ｂ】単一孔のマスクを有する同期した単一絞り開口システムを示す図であり、このマスクが、第２位置Ｂにあるところを示す図である。
【図４Ｃ】１つの回転可能な絞り開口を示し、異なる回転角度において２つの被写体画像が生成されたところを示す図である。
【図５Ａ】複数のＦストップを有する単一絞り開口システムを示す図である。
【図５Ｂ】複数のＦストップを有する単一絞り開口システムのセンサーから獲得した画像を示す図である。
【図５Ｃ】図５Ｂ中、枠で示した領域の拡大図である。
【図５Ｄ】プロセッサにより決定されたマッチングした点のチャートを示す図である。
【図５Ｅ】振動する単一絞り開口システムを示す図である。
【図５Ｆ】１つの非対称の絞り開口を示す図であり、焦点面の前と焦点面の後ろとにある被写体により生成された対応する像の比較図である。
【図５Ｇ】１つの非対称の絞り開口を示す図であり、焦点面の前と焦点面の後ろとにある被写体により生成された対応する像の比較図である。
【図５Ｈ】１つの非対称の絞り開口を示す図であり、焦点面の前と焦点面の後ろとにある被写体により生成された対応する像の比較図である。
【図６Ａ】電子的にマスクされた撮像系を示す図であり、第１の複数窓の電子絞り開口が開いた状態であるところを示す図である。
【図６Ｂ】電子的にマスクされた撮像系を示す図であり、第２の複数窓の電子絞り開口が開いた状態であるところを示す図である。
【図７Ａ】対象の被写体表面上に投影するのに適したアドレス可能な雛型パターンを示す図である。
【図７Ｂ】アドレス可能な雛型を用いて撮った目標とする被写体の獲得画像を示す図である。
【図７Ｃ】獲得画像および格子の一部分を示す図である。
【図７Ｄ】図７Ｃの中央サンプルの図を再構成した図である。
【図８Ａ】非レーザーパターン投影機および撮像系を示す図である。
【図８Ｂ】２つのオフセットプリズムおよび２つのセンサーを有するシステムを示す図である。
【図８Ｃ】１つの銀メッキオフセットプリズムと２つのセンサーとを有するシステムを示す図である。
【図８Ｄ】３つのＣＣＤセンサーアセンブリシステムを示す図である。
【図８Ｅ】狭帯域ミラーセンサーアセンブリシステムを示す図である。
【図９】レーザーパターン投影機および撮像系を示す図である。
【図１０】被写体表面の像を作成するための、画像獲得および画像処理の行為を示すフローチャートである。
【図１１】画像の再構成を支援するために、撮像系にアドレス可能なパターンを組み込むことを示したフローチャートである。
【発明を実施するための形態】
【００３１】
本発明は、安価で正確な三次元撮像方法（例えば、マッピング）という、長年に渡るニーズに応えるものである。本発明の態様は、製造部品の表面および体積検査、実際の製品と元の設計との比較、３Ｄ被写体走査、人体部分の診断（ヘルニア、動脈、美容整形手術前および後など）、表面粗さの評価および表面変形の実時間フィードバックに適用可能である。以下の詳細な説明では、本発明のより完全な理解のために、多くの特定の詳細を挙げる。しかし、本発明は必ずしもこれらの特定の詳細に限定されずに実施可能であることは、当業者には明確である。本発明を不明瞭にしないように、周知の構造や装置を、詳細図ではなくブロック図の形態で示している場合もある。
【００３２】
読者には、本明細書と同時に提出された全ての論文および文献に注意を払われたい。これらの論文および文献は、本明細書と共に公衆が閲覧できるように公開され、これらの全論文および文献の内容は、本願中に参照として組み込まれている。本明細書（添付の請求項、要約および図面を含む）中に開示された全ての特徴は、別途明示的に言明しない限りは、同一の、等価のまたは類似の目的に沿う代替となる特徴に置き換えてもよい。したがって、別途明示的に言明しない限りは、開示された各特徴は、等価または類似の一連の包括的な特徴の非限定的な１つの例を示すにすぎない。
【００３３】
さらに、ある特定の機能を達成する「ための手段（ｍｅａｎｓ  ｆｏｒ）」形式、または、ある特定の機能を達成する「ための工程（ｓｔｅｐ  ｆｏｒ）」形式で、明示的に表明されていない請求項のいかなる要素も、米国特許法第１１２条第６項で指定された「手段」または「工程」として解釈されない。特に、本願請求項中の「〜の工程（ｓｔｅｐ  ｏｆ）」または「〜の行為（ａｃｔ  ｏｆ）」との文言の使用は、米国特許法第１１２条第６項の規定の行使を意図していない。
【００３４】
まず、本発明の導入を行い、全般的な理解を促す。次に、光の特性およびマスクの形状に基づくデフォーカス方法を、特徴マッピングに関して説明する。その後、単一絞り開口システムの態様を、特徴マッピングに関して説明する。続いて、パターンマッチングの例を提示する。次に、本発明による撮像方法を提示する。次に、画像マッチングの説明を行う。
【００３５】
（１．０）導入
デフォーカスによるぼやけを用いて、ある点とレンズの焦点面との間の距離を測定することができる。本発明は追加の特徴を提案するが、これは、光学技術および照明技術の観点から、元来のデフォーカス概念の欠点を克服するように、単一レンズおよび複数の絞り開口を有する構成に追加された特徴である。以下の態様により、単一のレンズ、単一のセンサーおよび複数の絞り開口を有する装置を用いて、被写体表面を頑健に測定することができる。
【００３６】
複数の絞り開口を有する構成に、光学的な修正を行うことより、物理的にマスクをし、フィルターをかけられた情報をセンサーに伝達して、各絞り開口が、被写体表面を再構成するために、分離可能な画像を再構成することができるようにする。分離可能な画像を生成するために、絞り開口の形状を変える、絞り開口の透過率を符号化する、または、露光中または露光の合間に孔が絞り開口表面に対して移動する単一スリットを有するマスクを提供することで絞り開口マスクを修正してもよい。各絞り開口マスクは、被写体の所望の特徴の表現に役立つ追加的な情報を提供する。
【００３７】
単一のレンズ、単一のセンサーおよび複数の絞り開口を有する装置は、登録情報を用いて、被写体から追加的な情報を入手するよう強化されてもよい。登録情報は、被写体の識別特徴、被写体表面に投影された情報、または、被写体の上に直接おかれたマーカーから得られてもよい。
【００３８】
一度の露光によって獲得が不可能な大きな被写体に関しては、上述の態様は、所望の被写体の表面特徴を再作成するために、複数の露光を共に合わせるのに使用可能な情報を提供してもよい。あるいは、大きな被写体と小さな被写体との両方について複数の画像を走査して、被写体または被写体特徴の高解像度の像を生成することができる。このマッチング概念は、立体視システムにも同様に適用可能である。
【００３９】
ここで、本発明の態様を、以下に、添付の図面を参照してより十分記載し、ここで本発明の好適な実施形態を示す。本発明は、多くの様々な形態で実施可能であり、本願で記載した実施形態に限定されるよう解釈されるべきではない。さらに、添付の図面で示した層やその他の部材の寸法は、詳細をより明確に示すために、誇張されている場合がありうる。本発明は、図面に示されている寸法関係に限定されるように解釈されるべきではなく、図面に示されている個々の部材は、図示された寸法に限定されるよう解釈されるべきではない。
【００４０】
（２．０）光の特性および形状に基づくシステム
照射された被写体からの光またはこれ以外の電磁放射線が、レンズを通過し、マスクされた絞り開口を通過し、このマスクされた絞り開口からの情報を受け取るのに適したセンサー上に渡されると、マスクされた絞り開口は、識別可能な画像を生成する。マスクされた絞り開口は、被写体の符号化されたデフォーカスの情報を、適切なセンサー上に渡す。デフォーカス情報は、焦点面に対する被写体の点の測定尺度を提供する。マスクされた絞り開口からの符号化された情報は、重複画像を分離するため、かつ、センサーにより検出された対応する点をマッチングするために必要な情報を提供する。「光」という文言は、本発明の様々な実施形態を説明する際に用いられうるが、本発明は、電磁スペクトルの任意の部分（マイクロ波、赤外線、紫外線およびＸ線を含むがこれに限定されない）の使用に適していることに留意されたい。「光」との文言は、例示的な目的で使用されるのであり、本発明の範囲を、電磁スペクトルの可視部分に限定する意図はない。
【００４１】
マスクされた絞り開口が２つ以上用いられた場合、単数または複数のマスクされた絞り開口から検出された形状の波長に対しての強度（明度）の特性および／または形態が、センサー上で容易に識別可能なように、理想的には各マスクは互いに異なっている。様々なフィルタリング用絞り開口を用いて、光にその特性に応じて選択的にフィルターをかけて、光センサー上へ渡し、各絞り開口からの画像が識別可能であるようにしうる。さらに、２つ以上の絞り開口の形状が識別可能な場合、センサーによって検出される各絞り開口の画像もまた識別可能である。したがって、適切な絞り開口マスクとフィルターとの非限定的な例としては、波長帯域通過フィルター、光偏光フィルターおよび異なる形状を有するマスクが含まれる。
【００４２】
（２．１）色による符号化フィルター
図１Ａを参照すると、帯域通過フィルターシステム１００が示されている。この帯域通過フィルター１００は、レンズ１０２、赤色絞り開口１０６と緑色絞り開口１０８とを有するマスク１０４、および、センサー１１０を有する。ここでは、赤色絞り開口１０６と緑色絞り開口１０８としてそれぞれ示されているが、適切なセンサー１１０と組み合わせて、任意の数および任意の組み合わせの色フィルタリング用絞り開口を用いてもよい。したがって、絞り開口は、ここでは特定的に赤色絞り開口１０６および緑色絞り開口１０８としてそれぞれ言及されているが、この絞り開口がそれに限定されることは意図せず、代わりに第１絞り開口、第２絞り開口などと言及が可能である。
【００４３】
この帯域通過フィルターシステム１００は、照射された被写体１１２が焦点面１１４の前におかれると、この照射された被写体１１２の像を生成する。散光１１６は、照射された被写体１１２の表面から反射され、レンズ１０２を通過する。レンズ１０２を通過すると、この散光１１６は、赤色絞り開口１０６または緑色絞り開口１０８のいずれかを選択的に通過するか、反射されるか、または、マスク１０４により吸収される。赤色絞り開口１０６を透過した赤色光１１８および緑色絞り開口１０８を透過した緑色光１２０は、その後、画像焦点１２２より前に位置づけられたセンサー１１０上に記録される。当業者には理解されうるであろうが、被写体を照射するために用いられる光の色は、所望の絞り開口または絞り開口セットのみを通過するようにも選択できる。狭帯域光投影機の使用は、１セットの絞り開口が１つの色でデフォーカス情報を獲得するのに用いられ、別の絞り開口が被写体の実際の視覚画像を別の色で投影するように用いられる場合に有用であり、この結果、２つは容易に区別可能になる。
【００４４】
図１Ｂを参照すると、複数の実点について複数の色で符号化されたデフォーカス画像獲得１２４が、図１Ａのセンサー１１０により受け取られたところが図示されている。各々の色で符号化された獲得１２４は、各絞り開口１０６・１０８により作られた複数波長のアドレス可能なパターンに対応している。図１Ｂに示すように、被写体上の各実点は、複数波長のアドレス可能なパターンである赤色ドット１２６と緑色ドット１２８とで表現される。当業者には理解されうるように、赤色ドット１２６と緑色ドット１２８とは、それぞれ赤色絞り開口と緑色絞り開口との結果である。しかしながら、ドットの色は絞り開口の色により変更しうるので、本発明は、この態様に限定されることはない。対応する赤色ドット１２６と緑色ドット１２８は、対応線１３０により互いい連結されて図示されている。対応線１３０は見えないが、しかし、これは、色で符号化された画像獲得１２４における点のマッチングの困難さを強調するのに役立つツールである。対応線１３０により連結されているドットのみが、実際に互いに対応している。このマスク１０４がなければ、対応する点を連結するのに十分な情報はないであろう。
【００４５】
図１Ｃを参照すると、この図は、図１Ｂ中枠で示した領域１３２の拡大図であり、対応する赤色ドット１２６と緑色ドット１２８との間のマッチング方法を示した図である。複数色で符号化された画像獲得１２４が行われると、プロセッサは、この画像内で色で符号化された全ドットに関する検索を始める。あるいは、検索を生データから行ってもよい。（すなわち、実画像１２４を生成する必要はない。）これに代えて、センサー１１０がプロセッサに接続され、プロセッサがセンサー情報を直接受け取る。いずれの場合にしても、全てのドットが検出されると、焦点面１１４に対する照射された点１１２の相対的な位置を想定して、マッチング過程が開始する。焦点面１１４に対する照射された点１１２の相対的な位置は、先験的に知られているか、ユーザーにより入力されるか、ソフトウェアにより決定されるか、あるいは、センサーにより決定されてもよい。ここでは、例証の目的で、被写体の照射された点１１２は、焦点面１１４の前にあることが前提とされる。したがって、マッチングは、例えば以下のような指示コマンドで開始する。「２つの絞り開口を結ぶ線に対応する線の上に（ある許容誤差内で）存在する赤色ドット１２６・１４２・１４４・１４６の右側にある任意の緑色ドット１２８・１３６・１３８・１４０はマッチ（適合）である。」第１の赤色ドット１２６が検出され、続いて、上記指示コマンドにより、赤色ドット１２６の許容誤差１３４内の第１の緑色ドット１２８がマッチングする。この場合の許容誤差１３４は、赤色ドット１２６から半径で表された距離として表示される。しかしながら、許容誤差１３４は、任意の所望の形状または距離の形式をとりうる。赤色ドット１２６の許容誤差１３４内で、補足的な検索が緑色ドット１３６・１３８・１４０に対して行われ、合計３つの「ゴースト」マッチ（それぞれ緑色ドット１３６・１３８・１４０）が生成される。
【００４６】
図１Ｄを参照すると、この図は、焦点距離（Ｌ）と、図１Ｃ中のマッチ粒子および「ゴースト」粒子のＺ距離との関係を示す。赤色ドット１２６と、全ての緑色ドット１２８・１４２・１４４・１４６とのマッチングの結果として、１つのマッチ１４８と、３つのゴースト１５０・１５２・１５４が得られる。赤色ドット１２６と緑色ドット１２８との間のマッチは、第１のマッチング点１４８のＺ対Ｌの関係を演算するのに用いられる。赤色ドット１２６と緑色ドット１３６・１３８・１４０との間のミスマッチ（非適合）は、それぞれ第１の３つのゴースト１５０・１５２・１５４をもたらす。
【００４７】
第２の赤色ドット１４２に関しては、１つのマッチ１５６と、２つのゴースト１５８・１６０が生成される。第２の赤色ドット１４２と対応する緑色ドット１３６との間のマッチは、第２のマッチング点１５６のＺ対Ｌの関係を演算するのに用いられる。赤色ドット１４２と緑色ドット１３８・１４０との間のミスマッチは、それぞれ２つのゴースト１５８・１６０で表現される。
【００４８】
第３の赤色ドット１４４に関しては、１つのマッチ１６２と、２つのゴースト１５８・１６０が生成される。ゴースト１５８・１６０は、他の絞り開口からの対応するドットに割り当てられえないドットである。第３の赤色ドット１４４と対応する緑色ドット１３８との間のマッチは、第３のマッチング点１６２のＺ対Ｌの関係を演算するのに用いられる。赤色ドット１４４と緑色ドット１４０との間の１つのミスマッチは、ゴースト１６４で表現される。
【００４９】
最後に、第４の赤色ドット１４６に関しては、１つのマッチ１６２が生成されるが、ゴーストは生成されない。第４の赤色ドット１４６と対応する緑色ドット１４０との間のマッチは、第４のかつ最後のマッチング点１６６のＺ対Ｌの関係を演算するのに用いられる。赤色ドット１４６の右には、マッチングする緑色ドット１４０以外の緑色のドットはないので、図１Ｃの枠で示した領域１３２に関しては、これ以上のミスマッチは存在しない。
【００５０】
マッチ粒子と「ゴースト」粒子との間の、Ｚ対Ｌの関係の決定においては、異なる符号化がされた点、例えば図１Ｂに示したような点１２６・１２８があることにより大いに強化される。絞り開口マスク１０４により色情報が提供されないような分離不可能な場合は、より多くのゴーストが存在するが、これは、色などの差別化要因がない場合、図１Ａの各「赤色ドット」は、他の任意の「赤色ドット」ともマッチング可能となり、より多くのゴーストが生成されるからである。さらに、任意の与えられたドットが、それ自体、実際には、他のドットの上にある２つのドットではないとの想定ができず、焦点面上により多くのゴーストが追加される。
【００５１】
（２．２）偏光フィルター
「光」という文言は、本発明の様々な実施形態を説明する際に用いられうるが、本発明は、電磁スペクトルの任意の部分（マイクロ波、赤外線、紫外線およびＸ線を含むがこれに限定されない）の使用に適していることに留意されたい。「光」との文言は、例示的な目的で使用されるのであり、本発明の範囲を、電磁スペクトルの可視部分に限定する意図はない。
【００５２】
符号化情報は、任意の数の方法でセンサーに提供されうる。非限定的な例として、図２は、偏光フィルター撮像系２００を示す。この偏光フィルター撮像系２００は、レンズ２０２、水平方向での偏光を行う絞り開口２０６と垂直方向での偏光を行う絞り開口２０８とを備えたマスク２０４、および、偏光間での識別を行うことができるセンサー２１０を有する。ここでは、水平方向での偏光を行う絞り開口２０６と垂直方向での偏光を行う絞り開口２０８との組み合わせとしてそれぞれ図示したが、少なくともほぼ直交する方向の対であれば、任意の数の任意の組み合わせを使用してもよい。
【００５３】
照射された被写体２１２が焦点面２１４の前におかれると、偏光フィルター撮像系２００は照射された被写体２１２の像を生成する。散光２１６は、照射された被写体１１２の表面から反射され、レンズ２０２を透過する。レンズ２０２を透過すると、この散光２１６は、水平方向での偏光を行う絞り開口２０６と垂直方向での偏光を行う絞り開口２０８のいずれかを選択的に通過するか、あるいは、マスク２０４により反射される。その後水平方向での偏光を行う絞り開口２０６を透過した水平方向に偏光された光２１８と、垂直方向での偏光を行う絞り開口２０８を透過した垂直方向に偏光された光２２０は、焦点面２２２より前に位置づけられているセンサー２１０上に記録される。
【００５４】
水平方向での偏光を行う絞り開口２０６と垂直方向での偏光を行う絞り開口２０８とを異なるように符号化することで、図１Ｂに示したと同様の識別可能なドットが得られる。しかし、この偏光の態様から得られる符号化情報は、色で符号化されたドットの代わりに、偏光マーカーを提供する。
【００５５】
同様の結果は、図２Ｂで示すような、偏光で符号化された少なくとも１つの絞り開口を用いることによっても得られることができ、この場合、この少なくとも１つの絞り開口が、第１絞り開口位置２２４から第２絞り開口位置２２６に回転し、各位置において露光が行われると、絞り開口の偏光が、露光間で変わり、その結果、第１露光２２８と第２露光２３０とから、互いに区別可能な偏光画像２２８・２３０セットがそれぞれ得られ、これにより、同じマーカー２３２からの異なる露光による像２２８と像２３０との間の距離を測定することにより、深さ情報を決定できる。
【００５６】
（帯域通過フィルターシステム１００の場合のように）選択的な光の透過、または、（偏光フィルター撮像系２００の場合のように）光の特性の活用は、センサーが受け取る情報を符号化する効果的な手段である。最終的に、センサーによって検出される符号化情報は、図１Ｃおよび図１Ｄに記載したマッチングのタスクを容易にする。
【００５７】
（２．３）空間的に偏向された絞り開口
図３Ａを参照すると、この図は、ほぼ点光源と考えられるような十分小さい点を撮像するために、異なる形状を有する絞り開口システム３００を示す。異なる形状を有する絞り開口システム３００は、レンズ３０２、円形状の絞り開口３０６と四角形状の絞り開口３０８とを有するマスク３０４、および、センサー３１０を有する。ここでは円形状の絞り開口３０６と四角形状の絞り開口３０８として図示したが、任意の数の任意の組み合わせでの異なる形状のフィルタリング絞り開口を使用してもよい。適切な形状の非限定的な例には、凸多面体、凹多面体、円形、ポリフォームおよびこれらの組み合わせが含まれる。
【００５８】
異なる形状を有する絞り開口システム３００は、露光毎に、照射された被写体３１２の２つの表現３１４・３１６を生成する。センサー３１０により検出された各形状３１４・３１６は、各絞り開口３０６・３０８の形状にそれぞれ対応する。散光３２０は、照射された被写体３１２の表面から反射され、レンズ３０２を通過すると、円形状の絞り開口３０６または四角形状の絞り開口３０８のいずれかを通過するか、あるいは、マスク３０４により反射され、センサーの焦点面３１８より後方に反射される。円形状の絞り開口３０６を通過した透過光３２２は、センサー３１０上に円形のパターン３１４を生成する。同様に、四角形状の絞り開口３０８を通過した透過光３２４は、センサー３１０上に四角形のパターン３１６を生成する。複数個を獲得することにより、多数の円形のパターン３１４と、多数の四角形のパターン３１６が検出され、プロセッサ３２６により、マッチング規則に基づいて、マッチングがなされる。マッチとゴーストとは双方とも、図１Ｄに図示されたようなＺ対Ｌのプロットグラフ上に描かれる。あるいは、ゴースト画像なしでマッチを示したプロットグラフを生成してもよい。
【００５９】
異なる形状の絞り開口に加えて、空間的に偏向された絞り開口は、図３Ｂに図示するように、同様の形状であるが、マスク３２９の中心から異なる放射状の位置に位置づけられている絞り開口３２６・３２８も有することができる。この絞り開口システムが、第１位置３２６・３２８から、第２位置３３０・３３２に回転し、各位置において露光が行われると（時間遅延順次撮像）、マスクの中心３２９からの絞り開口の距離が、被写体により生成された像３３６・３３８の撮像装置３３４上での位置の変化の率を決める。ここで、この変化の率は画像が露光間で動く距離を物理的に明示する。
【００６０】
本発明の使用に適した空間的に偏向された絞り開口の別の実施形態は、形状は似ているが大きさが異なる絞り開口であり、例えば、２つの円形の絞り開口であって、一方が他方よりも大きい絞り開口である。異なる大きさの絞り開口を用いることにより、上述し、かつ図３Ａで示したような異なる形状の絞り開口を用いる場合と同じ機能を効果的に実現する。
【００６１】
（３．０）単一絞り開口システム
図４Ａおよび図４Ｂを参照すると、同期化された単一絞り開口システム４００は、レンズ４０２、単一孔のマスク４０４、移動絞り開口４０６、センサー４０８、および、センサー４０８と通信するプロセッサ４１０を有し、これが図示されている。さらに、単一孔のマスク４０４は、それぞれ第１位置Ａと第２位置Ｂとで示されている。反射光線４１４を選択的にレンズ４０２、および、単一孔のマスク４０４の絞り開口４０６を通過させることにより、照射された被写体４１２は再構成されうる。単一孔のマスク４０４の移動絞り開口４０６は露光間に絞り開口面上で動くが、この単一孔のマスク４０４の位置は、プロセッサ４１０により記録される。図４Ａに示すように、移動絞り開口４０６は光４１６を透過させ、センサー４０８により検出される第１の点４１４を生成する。図４Ａに示すように、第１露光時の移動絞り開口４０６の第１位置情報は、プロセッサ４１０により記録される。第２露光時には、移動絞り開口４０６が、第２位置Ｂへと移動する（図４Ｂに図示）。図４Ｂに図示されるように、移動開口４０６は光４１８を透過させ、センサー４０８により検出される第２の点４２０を生成する。第２露光時の移動絞り開口４０６の第２位置情報は、プロセッサ４１０により記録される。第１の点４１４および第１位置情報、ならびに、第２の点４２０および第２位置情報は、その後、第１露光からの第１の点４１４を、第２の点４２０とマッチングさせるために用いられる。あるいは、第１露光と第２露光との間で、反射光４１４の色を変更して、マッチング過程の支援用に用いられる情報を提供してもよい。
【００６２】
同様に、ミスマッチの問題は、図４Ｃに示すように絞り開口４２２を回転させることにより緩和される。ある時間をかけて絞り開口を回転させることにより、楕円の絞り開口に対して相対的に複数の画像獲得がなされた場合には、重複する画像が区別されることができ、これにより、画像重複により生じる曖昧さが緩和される。この図は、第１絞り開口位置４２２にある絞り開口と水平面にある２つの被写体４２４により形成される画像の比較を示す図である。この第１絞り開口位置４２２では、被写体画像４２６が重複し、潜在的にミスマッチが引き起こされる。しかしながら、絞り開口が第２絞り開口位置４２８に回転されると、形成された画像４３０は区別可能である。
【００６３】
（３．１）単一スリット絞り開口システム
図５Ａを参照すると、複数のＦストップを有する単一絞り開口システム５００が図示されている。この異なる形状を有する絞り開口システム５００は、レンズ５０２、実質的に楕円であるスリット絞り開口５０６を１つ有するマスク５０４、センサー５０８、および、センサー５０８と通信するプロセッサ５１０を有する。ここでは、概略的に楕円形状の絞り開口５０６として示したが、一般的に、その形状に関わらず、幅より長さの方が著しく長い任意の絞り開口を用いてもよい。
【００６４】
反射光５１４がレンズおよびマスク５０４の実質的に楕円であるスリット絞り開口５０６を選択的に通過できるようにすることにより、照射された被写体５１２が再構成されてもよい。この単一絞り開口システム５００は、標準的な円形の絞り開口の代わりに、長くて狭いスリット絞り開口５０６を用いている点が顕著である。スリット絞り開口５０６が２方向で異なるＦナンバーを有する点が効果的である。スリット絞り開口５０６の長さは長く、小さいＦナンバーをなし、これが、センサー５０８上で、大きく変動する円盤５１６を生成する。逆に、スリット絞り開口５０２の狭い幅は、大きなＦナンバーをなし、これは最低限の変動しか生成せず、点光源の画像は、円盤５１６ではなく、線５１８で表される。この場合の強度は、面積ではなく長さに反比例して変動すると考えられることができ、センサー上で要求される動的範囲は、純粋なぼやけシステムに比較して、大幅に小さくなる。さらに、生成された画像５１６・５１８は、一方向にのみ大きくなり、重複の可能性が最小限に抑えられる。
【００６５】
また、図５Ｆに示すように、スリット絞り開口を非対称形状５４２にすることもできる。このように非対称にする目的は、焦点面５５０の前にある被写体５４６であるのか、または、後ろにある被写体５４８であるのかをセンサー５４４が決めることができるようにすることである。焦点面５５０の後ろにある被写体５４８は、センサー５４４上に反転した画像５５２を生成し、焦点面５５０の前にある被写体５４６は正像５５４を生成する。しかしながら、図５Ａのように、絞り開口が対称形状５０６である場合には、焦点面５５０の後ろにある被写体５４８により生成された像５１６は、焦点面５５０の前５４６の対応する位置にある像と区別ができない。非対称の絞り開口５４２を用いることにより、これらの焦点面５５０の前にある被写体５４６と、後ろにある被写体５４８とは区別可能となる。図５Ｆ中に図示した非対称の絞り開口５４２は、全体として楕円の形状の一端に円形の孔を有するが、いずれの非対称形状の絞り開口も同じ効果を奏する。
【００６６】
図５Ｂを参照すると、複数のＦストップを有する単一絞り開口のシステム５００のセンサー５０８により獲得された画像５２０が示されている。画像５２０の枠５２２内には、異なるＺ座標を有する複数のプロット５２４・５２６・５２８・５３０が示されている。画像５２０として示されているが、示された情報は、条件づけられ、信号を介してプロセッサ５１０で処理されるために送られてもよい。
【００６７】
図５Ｃを参照すると、図５Ｂの獲得された画像中の枠で示した領域５２２は、絞り開口の動きに対応する複数のＦストップの細長い筋５２４・５２６・５２８・５３０を見つけるために処理される。全ての複数のＦストップの細長い筋５２４・５２６・５２８・５３０が見つけられると、Ｚ対Ｌの関係を決定するための規則が適用される。マッチングが必要でない点が顕著である。
【００６８】
全ての点が、焦点面「Ｌ」より前方にあると想定して、Ｚ対Ｌの関係を演算するために複数のＦストップの細長い筋５２４・５２６・５２８・５３０が用いられる。プロセッサ５１０により決められたマッチングされた点５３２・５３４・５３６・５３８の例を図５Ｄに示す。一般的に、センサー５０８に接続されたプロセッサ５１０を用いて、センサーから得られた生データを収集してもよい。プロセッサ５１０は、続いて、Ｚ対Ｌの関係を用いて、各検出されたＦストップの細長い筋５２４・５２６・５２８・５３０の深度情報を演算してもよい。続いて、プロセッサ５１０を用いて、各照射された点５１２の深度情報から被写体の表現を生成してもよい。別の態様では、プロセッサ５１０はメモリを有してもよい。このメモリを用いて、既知の距離におけるそれ以前にサンプリングをした点の較正情報を記憶しておいてもよい。この較正情報は、迅速なインライン処理のために、画像獲得システム中に参照テーブルとして記憶されていてもよい。あるいは、較正情報は遠隔で記憶され、プロセッサによりアクセスされてもよい。
【００６９】
図５Ｂ、図５Ｃおよび図５Ｄに示した結果は、図５Ｅで示したような振動する単一絞り開口システム５４０を用いて得られても良い。この振動する単一絞り開口システム５４０は、レンズ５０２、単一の移動絞り開口５０６を有するマスク５０４およびセンサー５０８を有する。
【００７０】
反射光５１４が、レンズおよびマスク５０４の実質的に楕円である絞り開口５０６を選択的に通過できるようにすることにより、照射された被写体５１２が再構成されうる。この単一絞り開口システム５００は、移動絞り開口５０６を用い、２方向で異なるＦナンバーを有する効果を効果的にシュミレーションしている点が顕著である。移動絞り開口５０６が、制御の下で、右から左へと、ＡとＢとの方向（あるいは、これ以外の任意の方向で）で周期振動し、移動絞り開口５０６のＡからＢへの正味の変位は、小さいＦナンバーを生成する。このＡからＢへの横方向への移動の小さいＦナンバーは、センサー５０８上で、大きく変動する円盤５１６を生成する。さらに、この移動絞り開口５０６は、ＡからＢへと動くので、移動絞り開口５０６の垂直直径には正味の変化はない。したがって、移動絞り開口５０６の高さが一定であることにより、Ｆナンバーが大きくなり、これは最低限の変動しかせず、点光源の画像は、円盤５１６ではなく、線５１８で表される。この場合の強度は、絞り開口５０６が、ある特定の軸上位置で過ごす時間の量に依存し、したがって、この技術で生成された画像は、薄暗い直線に連結された明るい端部のように見える。さらに、生成された画像５１６・５１８は、一方向にのみ大きくなり、重複の可能性が最小限に抑えられる。
【００７１】
ある態様では、本発明は、２つの絞り開口のシステムとして考えられ、２つの絞り開口画像を物理的に撮像装置上で単に連結することによって、マッチングの曖昧さが除去される。（点光源ではなく）絞り開口を通った大きい被写体を撮像させるとき、３つの画像を見ることができる。中央画像は被写体画像であり、外側の他の２つの画像は、回折およびレンズ効果の結果形成される。この被写体の尺度が小さくなるにしたがって点光源に近づき、極端な場合、点光源の被写体の画像は、絞り開口と同じ形状を有する。
【００７２】
（３．２）軸外デフォーカス絞り開口と共にある大きな中央絞り開口
「光」という文言は、本発明の様々な実施形態を説明する際に用いられうるが、本発明は、電磁スペクトルの任意の部分（マイクロ波、赤外線、紫外線およびＸ線を含むがこれに限定されない）の使用に適していることに留意されたい。「光」との文言は、例示的な目的で使用されるのであり、本発明の範囲を、電磁スペクトルの可視部分に限定する意図はない。
【００７３】
図５Ｇに示すように、ミスマッチの問題は、少なくとも１つの軸外デフォーカス絞り開口５５８と共に大きな中央絞り開口５５６を用いることによっても緩和できる。中央絞り開口５５６は、典型的なカメラの中にあるような中央可変絞り開口でありえる。この中央絞り開口５５６のＦナンバーが、デフォーカス絞り開口５５８のＦナンバーとは異なるので効果的である。これは、被写体５６１の実質的に完全な画像５６０が、中央絞り開口５５６を介して、常にセンサー５６２上に存在し、その上にデフォーカス絞り開口５５８からの非合焦ドット５６４が重なっていることを意味する。
【００７４】
常に被写体画像があることは、３つの目的に役立つ。第１に、操作者は、これによりこの装置がどこを指しているかがわかることができる。第２に、この中央絞り開口により与えられた被写体画像は、デフォーカス絞り開口により撮像された点の物理的なｘ−ｙ−ｚ位置に一致し、被写体表面マップを作ることができる（以下の項４．０「パターンマッチング」参照）。最後に、装置により生成された被写体の二次元（２Ｄ）画像から正確なＰＯＩＳＥ（位置および方向）の見積もりが可能になる。ＰＯＩＳＥを決めるための様々な方法は、当該分野では周知である。この見積もりを行うために、既存のＰＯＩＳＥ方法は、背景画像の特徴または予め置かれたマークされた点を使用することができる。背景画像の特徴を用いる際には、異なるカメラ位置から中央絞り開口により得られた実像を適切に回転し、その歪みを正し、スケーリングすることにより、カメラ位置が得られる。光投影システムが用いられる場合、被写体上に投影され、中央絞り開口を通って撮像された光の点を用いて、カメラ位置を得ることができる。本発明と共に用いるのに適したＰＯＩＳＥ方法の例は、米国特許出願公開公報２００７／０１０３４６０Ａ１号（ジャーン（Ｚｈａｎｇ）他、発明の名称「カメラの動きの決定（Ｄｅｔｅｒｍｉｎｉｎｇ  Ｃａｍｅｒａｌ  Ｍｏｔｉｏｎ）」）、米国特許出願公開公報２００７／０００８３１２Ａ１号（ジョウ（Ｚｈｏｕ）他、発明の名称「パノラマを形成する二次元画像からカメラ位置を決定する方法（Ｍｅｔｈｏｄ  ｆｏｒ  Ｄｅｔｅｒｍｉｎｉｎｇ  Ｃａｍｅｒａ  Ｐｏｓｉｔｉｏｎ  ｆｒｏｍ  Ｔｗｏ−Ｄｉｍｅｎｓｉｏｎａｌ  Ｉｍａｇｅｓ  ｔｈａｔ  ｆｏｒｍ  ａ  Ｐａｎｏｒａｍａ）」）、国際出願ＰＣＴ／ＵＳ２００６／０６０７２４号（３Ｍイノベーティブ・プロパティーズ社（３Ｍ  Ｉｎｎｏｖａｔｉｖｅ  Ｐｒｏｐｅｒｔｉｅｓ  Ｃｏｍｐａｎｙ）、発明の名称「カメラの動きの決定（Ｄｅｔｅｒｍｉｎｉｎｇ  Ｃａｍｅｒａ  Ｍｏｔｉｏｎ）」）、および、ロウ・デヴィッド・Ｇ（Ｌｏｗｅ，  Ｄａｖｉｄ  Ｇ）著、「単一の二次元画像からの三次元被写体認識（Ｔｈｒｅｅ−Ｄｉｍｅｎｓｉｏｎａｌ  Ｏｂｊｅｃｔ  Ｒｅｃｏｇｎｉｔｉｏｎ  ｆｒｏｍ  Ｓｉｎｇｌｅ  Ｔｗｏ−  Ｄｉｍｅｎｓｉｏｎａｌ  Ｉｍａｇｅｓ）」、アーティフィシャル・インテリジェンス（Ａｒｔｉｆｉｃｉａｌ  Ｉｎｔｅｌｌｉｇｅｎｃｅ）、３１，３（１９８７年３月）、Ｐ．３５３−３９５に見ることができる。
【００７５】
中央絞り開口は、位置付け（ＰＯＩＳＥ）のために価値ある情報を提供するのだが、混雑も引き起こしうる。本発明のある実施形態では、図５Ｈに示すように、大きな中央絞り開口５５６を軸外デフォーカス絞り開口５５８と共に備えたシステムが、所定の光のパターン５６６を被写体５６１の表面上に投影するための光投影機５６４と合わせて用いられる。この所定のパターン５６６は、デフォーカス絞り開口５５８を通ってデフォーカスとなり、パターン画像５６８中のデフォーカス量を用いて、被写体５６１に関する深さ情報を決めることができる。この構成の潜在的な難点は、中央絞り開口が、全ての点のシフトされない（デフォーカスではない）画像も、投影パターン中に生成し、これが、デフォーカス絞り開口により生成された非合焦点と干渉しうるという点である。狭帯域光源を備えたドット投影システムを、投影光の波長を選択的にフィルタリングするために中央絞り開口５５６上の光学フィルター５５６（水平の線で表示）と共に用いることにより、中央絞り開口により生成されたシフトされない画像が除去されうる。さらに、デフォーカス絞り開口５５８上の共役フィルター（垂直の線で表示）は、投影光の波長のみを通過させることができるが、これを用いることにより、被写体の画像が軸外デフォーカス絞り開口を通って形成されるのを防ぎ、被写体画像５６０がぼやけないように保つことができる。
【００７６】
さらに、複数のデフォーカス絞り開口を用いる際、デフォーカス絞り開口が中央絞り開口に対して非対称に置かれる場合には、点の画像はこの区別も含み、画像の方向により、形成点がレンズの焦点面の前方にあるのか後にあるのかが示される。この技術は、上述の単一の非対称絞り開口を用いた場合と同じ機能を果たす。
【００７７】
最後に、中央絞り開口を追加することにより、２つのデフォーカス絞り開口システムを備えたシステムに、有益な参照情報を提供することができるが、３つ以上のデフォーカス絞り開口を備えたシステムへこれを適用することに関しては限りがない。
【００７８】
（３．３）電子的にマスクされた絞り開口
図６Ａおよび図６Ｂを参照すると、電子的にマスクされた撮像系６００が、レンズ６０２、絞り開口板６０４、複数の窓を有する電子的な絞り開口６０６、センサー６０８、および、センサー６０８と絞り開口板６０４と通信するプロセッサ６１０を有することが示されている。適切な絞り開口板６０４の非限定的な例には、液晶表示（ＬＣＤ）が含まれ、これは、獲得センサー６０８と完全に同期化されてもよい。ある態様では、感度は、絞り開口の「軸外度合い（off−axisness）」を変えることにより制御されてもよい。反射光６１６が、レンズ６０２、および、複数の窓を有する電子的な絞り開口６０６の多くの窓のうちの１つを選択的に通過できるようにすることにより、照射された被写体６１４が再構成されうる。
【００７９】
図６Ａに示すように、複数の窓を有する電子的な絞り開口６０６の第１の窓６１２は、光６１８を透過させ、センサー６０８により検出される第１の点６２０を生成する。第１露光の間、第１の開いた窓６１２の位置情報が、プロセッサ６１０により記録される。
【００８０】
第２露光を得るために、複数の窓を有する電子的な絞り開口６０６の第２の窓が開かれる。図６Ｂに示すように、複数の窓を有する電子的な絞り開口６０６の第２の窓６２２は、光６２４を透過させることができ、センサー６０８により検出される第２の点６２６を生成する。第２露光の間、第２の開いた窓６２２の位置情報が、プロセッサ６１０により記録される。第１の点６２０および第１の開いた窓６１２位置情報、ならびに、第２の点６２６および第２の開いた窓６２２位置情報は、その後、第１露光からの第１の点６２０を、第２の点６２６の情報とマッチングさせるために用いられる。
【００８１】
（４．０）パターン投影によるパターンマッチング
対象の被写体が、その形状がマッチングされるべき表面である場合、マーカーの予め決められたパターンがその表面上に投影され、投影されたマーカーの相対的な位置を測定することにより、検出される画像中の点がサンプリングされうる。センサーが許容する撮像されるドットの密度上限は、撮像系の限界である。各図中で点が特定されると、同じ点が両方の図中に存在するか否かのみが問題となる。別の態様では、マッピングされるべき大きな塊（volum）が、ある大きな塊中に非対称のセルの集合を含んでいる場合、セルの形状と方向とを、図同士のマッチングにおける追加的な制約として用いることができ、したがって、ミスマッチが生じうる可能性を低減することができる。これを「特徴マッチング」と称する
【００８２】
図７Ａを参照すると、対象の被写体の表面上に投影するのに適した、アドレス可能な雛型パターン７００が示されている。アドレス可能な雛型パターン７００は投影され、または、目標とする表面上に物理的に置かれ、被写体から様々な距離（Ｚ）だけ離れた位置で、撮像系により獲得される。ある態様では、アドレス可能な雛型パターン７００は、識別可能な中央点７０２を備えた格子パターンの形状を有する。
【００８３】
図７Ｂを参照すると、アドレス可能な雛型を用いて撮られた、目標とする被写体の獲得画像７０４が図示されている。図示されているように、獲得された画像７０４中で、いくつかのドット７０６・７０８・７１０・７１２は欠如している。
【００８４】
図７Ｃを参照すると、一部の格子７１４を用いた獲得画像７０４が示されている。アドレス可能なパターン７０２が正しく並んでいる場合、識別可能な源を有する格子パターン７１４は、必要とされる視点の数または画像獲得を２つに減らすために、「構造化されたパターンマッチング」という手法を採用可能である。コンピュータで読み取り可能な媒体上に記憶されているか、または、プロセッサで実行可能であるアドレス指定を行うアルゴリズムは、雛型パターンによるアドレス可能な雛型パターン７００中の各ドットの「相対的なアドレスを見つける」ために、各絞り開口の画像を処理する。適切なアドレス可能な雛型パターン７００の非限定的な例を図７Ａに示す。アドレス指定を行うアルゴリズムは、アドレス可能なパターン７０４の変形を許容するようにある程度の許容誤差を有する（図７Ｂおよび図７Ｃ参照）。アドレス可能なパターン７０４の変形は、元のアドレス可能な雛型パターン７００（図７Ａ参照）と対比してみると顕著である。さらに、アドレス指定を行うアルゴリズムは、獲得された画像７０４中の実体の欠如７０６・７０８・７１０・７１２を扱うこともできる。アドレス可能な雛型パターン７００上のある点が、アドレス可能なパターン７０４中に現れなかった場合に情報の欠如が生じると考えられる。
【００８５】
図７Ｃの中央サンプル７１６の再構成された図を、図７Ｄに示す。同じアドレスを有するドット対それぞれに対してＺを演算することにより、点が再構成される。欠如したドット対に関しては、再構成は行われない。
【００８６】
（４．１）パターン投影機（非レーザー）
「光」という文言は、本発明の様々な実施形態を説明する際に用いられうるが、本発明は、電磁スペクトルの任意の部分（マイクロ波、赤外線、紫外線およびＸ線を含むがこれに限定されない）の使用に適していることに留意されたい。「光」との文言は、例示的な目的で使用されるのであり、本発明の範囲を、電磁スペクトルの可視部分に限定する意図はない。
【００８７】
図８Ａを参照すると、非レーザーパターン投影機８００および撮像系８０２が図示されている。非レーザーパターン投影機８００は、撮像系８０２の撮像レンズ８０６と同じレンズ８０４を有する。非レーザーパターン投影機８００のこのレンズ８０４は、撮像系８０２のレンズ８０６と等価の距離分だけ、ビームスプリッター８０８から離れて置かれている。これにより、投影された点８１２の主光線８１０を、撮像系８０２のセンサー８１６により検出された主光線８１４と一致させることができる。したがって、投影された点８１２と撮像レンズ８０６の焦点面８２０との間の距離が変化した場合さえ、検出された画像中の投影されたパターン８１８は動いていないように見える。これにより、いくつかの点（例えば、ドット）が欠如している場合でさえ、アドレス可能なパターン８１８の特定がはるかに容易になる。
【００８８】
前提条件は、各視点からの画像が物理的に分離されていることである。これは、もちろん、写真測量法などの複数センサーシステムにおいては当てはまるのであるが、デフォーカス概念（単一のレンズ上の複数の絞り開口が、単一のセンサー上に撮像する）などの場合には、特別な注意が必要である。
【００８９】
光８２２が、パターンステンシル８２４およびレンズ８０４（実質的に、撮像レンズ８０６と同じであるレンズ）を有する投影機レンズ系８２６を通過することにより、投影されたパターン８１８が生成される。
【００９０】
単一のレンズ系では、絞り開口画像は分離されなくてはならない。これは、プリズム（図８Ｂおよび図８Ｃ参照）または光ファイバー束を用いて達成する。これにより各絞り開口が分離されたセンサー上に投影される。あるいは、センサーが色センサーである場合、物理的にマスクされた絞り開口（図８Ｄおよび図８Ｅ参照）を用いて達成される。
【００９１】
図８Ｂを参照すると、２つのオフセットプリズムおよび２つのセンサーを有するシステム８２８が示されている。このシステム８２８は、マスクおよび２つのスリットを有する絞り開口８３８より後方にある、第１プリズム８３０、第２プリズム８３２、第１センサー８３４ならびに第２センサー８３６を有する。第１プリズム８３０および第２プリズム８３２は、２つのスリットを有する絞り開口８３８からの入射光８４０・８４２をオフセットし、第１プリズム８３０および第２プリズム８３２からの透過光が、分離されたセンサー８３４・８３６により検出されるようにする。２つのスリットを有する絞り開口８３８が、光の固有の特性に基づいて情報を符号化するために用いられる場合、あるいは、アドレス可能なパターン技術が採用された時のように光が分離されねばならない場合には、このような構成が用いられてもよい。適切な固有の特性の非限定的な例には、限定されるのではないが、周波数、複数の周波数、符号化され透過された光検出画像の偏光が含まれる。
【００９２】
図８Ｃを参照すると、１つの銀メッキのオフセットプリズムと２つのセンサーとを有するシステム８４４が示されている。このシステム８４４は、マスクおよび２つのスリットを有する絞り開口８５２より後方にある、銀メッキプリズム８４６、第１センサー８４８ならびに第２センサー８５０を有する。銀メッキプリズム８４６は、２つのスリットを有する絞り開口８５２からの第１の入射光束８５４をオフセットし、銀メッキプリズム８４６からの透過光が第１センサー８４８により検出されるようにする。あるいは、２つのスリットを有する絞り開口８５２を通過した光８５６は、第２センサー８５０上で別々に検出されてもよい。
【００９３】
図８Ｄを参照すると、３つのＣＣＤセンサーを集めたシステム８５８が示されている。このシステム８５８は、マスクおよび２つのスリットを有する絞り開口８６２の後方にある３つのＣＣＤセンサー８６０を有する。このＣＣＤセンサー８６０は、青色センサー８６２、緑色センサー８６４および赤色センサー８６６を有する。プリズム系８６８は、２つのスリットを有する絞り開口８５６からの第１入射光束８７０をオフセットし、このプリズム８６８からの透過光が、赤色センサー８６６により検出されるようにしうる。あるいは、２つのスリットを有する絞り開口８５２を通過した光８７２は、別々に緑色センサー８６４上で別々に検出されてもよい。
【００９４】
図８Ｅは、狭帯域ミラーセンサーを集めたシステム８７４を示す。このシステム８７４は、マスクおよび２つのスリットを有する絞り開口８７８の後方に位置づけられた狭帯域ミラー８７６、２つのスリットを有する絞り開口８７８、ならびに、第１センサー８８０および第２センサー８８２を有する。この狭帯域ミラー系８７６は、２つのスリットを有する絞り開口８７８からの入射光束８８４をオフセットし、この狭帯域ミラー系８７６の透過光が、第１センサー８８０により検出されうるようにする。あるいは、２つのスリットを有する絞り開口８７８を通過した光８８６が第２センサー８８２上で別々に検出されてもよい。
【００９５】
（４．２）パターン投影機（レーザー）
任意のレンズは、２つの「主平面」により表現されうる。この主平面の位置は、このレンズの関数に過ぎず、（ある点の画像の中央線を規定する）主光線は全て、軸上で第１の主平面に入り、第２の主平面を出るように動く。
【００９６】
前方の主平面と視野との位置測定を用いることにより、所望のパターンを有する回折格子を作って、レーザー投影機からのビームが、撮像されたドットの主光線と一致するように位置づけることができる。したがって、投影されたドットと撮像レンズの焦点面との間の距離が変化する場合さえ、投影されたパターンは、画像中で動いていないように見える。これにより、いくつかのドットが撮像されていない場合でさえ、アドレス可能なパターンの検索がはるかに容易になる。
【００９７】
複合レンズを通る複雑な光線追跡（光線が、全ての空気／ガラスの界面で屈折するような場合）は、光線が屈折する２つの平面で数学的に表現可能である。したがって、左側の画像が、「実際の」光線追跡を示し、右側の画像は、このようなレンズの数学的表現を示す。これらの表面は、第１のガラス界面に入り、最後のガラス界面を去り、レンズ軸を交差するためにこれらを広げる、主（ｃｈｉｅｆ）光線（「主（ｐｒｉｎｃｉｐａｌ）光線」とも称される）を用いることにより見つけられる。この交差点が、上述の平面の位置の印となる。
【００９８】
したがって、まず始めに較正を行い（これは、格子をいくつかのＺ距離で撮像することにより行う）、次に、これらの２つの面がどこにあるのか、および、視野角度はいくらであるのかを見つけるために、最小二乗適合法を行う。次に、視野角度に合うように回折格子をカスタマイズし、ビームスプリッターからの距離を第１主平面からの距離と同じ距離にしうる。したがって、レーザー光線は、主光線とまさに同じ光路をたどる。
【００９９】
作動においては、ある被写体がレンズに近づくに従い、画像中の被写体は大きくなる。これは、被写体の縁が、画像上で、横方向に動くことを意味する。同じことが、カメラの前で表面上に投影された任意のパターンに関しても該当する。図９で示した態様と同じように光線を正確にマッチングさせることによりＺ位置に関わらず、いずれの点も全く横方向には動かない。
【０１００】
ここで、２つの孔を有する絞り開口マスクが加えられると、対応するドットは、ここでも互いに対して離れて動く。（ドット（画像）は、周辺（外側光線）により形成される。）しかし、主光線が横方向には動かないので、対応する「マッチ形状」の重心は、横方向には動かない。考えられるのは、アドレス可能なパターンの識別可能なドットが位置づけられると、マッチの重心を見つけることができる。このパターンが横方向には決して広がらないことがわかっていることにより、パターン上のこれ以外の全点の重心がどこにあるべきかがわかり、これが、点の「アドレス化」を支援する。
【０１０１】
この点が従来のアドレス可能なパターン検索とは異なる点である。従来のアドレス可能なパターン検索では、点が全て互いに対して動き、その結果、表面のＺの変化が大きくなりすぎ、パターンが再構成できなくなりえる。
【０１０２】
図９を参照すると、レーザーパターン投影機システム９００および撮像系９０２が図示されている。このレーザーパターン投影機システム９００は、レーザー投影機９０４およびフィルタリング用マスク９０６を有する。このフィルタリング用マスク９０６は、投影機９０４からの光を、５０％ビームスプリッター９０８上に選択的に通過させる。レーザー投影機９０４およびフィルタリング用マスク９０６は、ビームスプリッター９０８と一列に並び、これにより、投影された点９１２の主光線９１０は、撮像系９０２のセンサー９１６により検出された主光線９１４と一致する。したがって、投影された点９１２と撮像レンズ９０６の焦点面９２０との間の距離が変化する場合さえ、投影されたパターン９１８は、検出された画像中で動いていないように見える。これにより、いくつかの点（例えば、ドット）が欠如している場合でさえ、アドレス可能なパターン９１８の特定がずっと容易になる。
【０１０３】
（５．０）撮像方法
図１０を参照すると、被写体表面の二次元または三次元表現を作成するための、画像獲得および画像処理の工程を示すフローチャートが示される。任意の単一レンズ装置が、撮像レンズ、識別可能な画像を生成できるように構成された絞り開口、センサーおよびプロセッサを含むように形成または修正される。
【０１０４】
撮像過程は、被写体表面を照射する行為１０００から開始する。被写体表面は、撮像系または適切な外部光源により照射されうる。光は、被写体表面より反射され、絞り開口を透過する（行為１０１０）。この絞り開口は、撮像レンズの撮像レンズ面中、撮像レンズの前方もしくは撮像レンズの後方に置かれるか、アクセス可能な場合撮像レンズの絞り開口面に適用されるか、または、リレーレンズ系を介してアクセス可能としうる。
【０１０５】
光が絞り開口を通って移動する際、絞り開口を用いて、多くの方法でセンサーが受け取る情報を符号化しうる。センサー上に識別可能な画像を生成する行為１０２０用に光を符号化しうる適切な方法の非限定的な例には、限定されるのではないが以下が含まれる。すなわち、光の特性に応じて透過光にフィルターをかける方法（例えば、波長または偏光によりフィルターをかけるなどの）、時間の関数として光を透過させる方法（例えば、識別可能な画像を、時間の関数として、絞り開口を通過可能にするなど）、または、絞り開口の形状を物理的に変えて、一連の異なる形状を有するようにして、この絞り開口を通過する通過光が、識別可能な形状に基づく画像を生成する方法が含まれる。
【０１０６】
追加的な画像を獲得する行為を行うか否かをシステムが決定するのを支援する行為１０３０を実装することもできる。この行為は、さらに、獲得画像の適切さを秤量するよう補強されてもよい。例えば、露光中に過度の移動が行われていた画像がセンサーにより検出された場合、この画像は、アルゴリズムにより放棄されてもよい。この場合、最後に獲得された画像が放棄され、過程は、被写体の照射行為１０００から再獲得される。別の態様では、受け取った画像は処理に適したものでありうるが、しかし、より多くの画像獲得が必要である（行為１０３０）。この場合、アルゴリズムをさらに補強するために、さらなる決定を追加可能である。この一例は、撮像系の視点を調節すべきか否かの決定する行為１０４０を追加することであるだろう。撮像装置の位置または被写体の所望の領域を移す必要があれば、撮像系または目標とする被写体のいずれかが、視点を調節する行為１０５０のために変えられてもよい。
【０１０７】
画像の全てまたは少なくとも一部分が獲得されれば、各画像内での点間の関係または点情報間の関係を用いて、各点に対する相対的なまたは絶対的な距離情報を演算または決定する行為１０６０が行われる。距離情報がわかれば、この情報は、この距離情報を用いて被写体の表現（例えば、３Ｄマッピング）を生成する行為１０７０用のアルゴリズムに供給されうる。
【０１０８】
（６．０）画像マッチング
複数の露光獲得を必要とする大きな被写体または応用では、画像マッチングにより、被写体表面を再び作成するために、関連する画像獲得を互いに結び付ける方法が提供される。目標とする被写体を再び作成する必要はないが、目標とする被写体に対する撮像系の相対的な位置がわかっているとき、画像マッチングにより、正確な測定尺度を用いて目標とする被写体を再び作成する能力が提供される。デジタルキルティングとも称される画像マッチングは、アドレス可能なパターンの雛型画像を用いることにより、一般に多いに支援される。ある態様では、アドレス可能なパターンの投影機を、物理的に獲得装置に結び付けてもよい。別の態様では、アドレス可能なパターンの投影機は、獲得装置に依存せずに動いてもよいが、獲得装置より見えるパターンがアドレス可能であるように動く。
【０１０９】
撮像装置は、アドレス可能なパターンの雛型画像を初期位置で獲得する。このアドレス可能なパターンの雛型画像は、通常Ｘ、ＹおよびＺ平面において固定の数の点を有する。その後、撮像装置の位置を調節して、第２のアドレス可能なパターンの雛型画像を第２位置で獲得する。移動制約を越えると決定された調節位置は無視するとの予防的措置をとってもよい。第２位置または調節された位置は、個々の６つの可変の平行移動および回転により、初期の撮像装置の位置に関連付けられる。新しい位置で獲得された画像は、部分的に第１の雛型画像と重複し、実質的に類似数の点を有しているという点により、通常、調節された位置は初期位置に関連付けられる。
【０１１０】
作動においては、少なくとも１つの外殻が、プロセッサにより生成され、または、ユーザーにより手動で強調表示される。この外殻は、アドレス可能なパターンの雛型画像およびアドレス可能なパターンの表面画像内の全ての点を囲む。全ての場合にそうであるとはいえないが、アドレス可能なパターンの雛型画像の外殻の外側にある点は、放棄してもよい。アドレス可能なパターンの表面画像中の点の内殻も複数個生成される。この内殻は、個々の６つの可変の平行移動および回転による、複数の殻の交差内の獲得間の最大限許容可能な変位の関数である。誤差は、アドレス可能なパターンの表面画像上にある点とアドレス可能なパターンの雛型画像との間の差から演算してもよい。
【０１１１】
殻が生成されたら、アドレス可能なパターン情報が、マッチングアルゴリズムを用いて処理される。このマッチングアルゴリズムは、アドレス可能なパターンの表面画像上の各点と、アドレス可能なパターンの雛型画像上の対応する点との間の距離を決定するように構成されている。各マッチングされた点は、その個体の移動により、複数の内殻から形成され、高解像度のデータセットを形成するために回転により１つにまとめられる。
【０１１２】
何百または場合によっては何千もの獲得をマッチングすると、このよく規定された点の大群は、個体の平行移動および回転により１つにまとめられる。目標とする被写体の特徴を回復するのに十分なマッチング点が存在するか否かを決定するように、アドレス可能なパターン情報を用いたアルゴリズムを適応させてもよい。よく規定された点の大群が作成されると、この高解像度点の大群を用いて、標準的なアルゴリズムまたは市販のパッケージを介し、補間あり又はなしで、高解像度の表面（ナーブおよびメッシュなど）を生成または出力することができる。このような標準的なアルゴリズムまたは市販のパッケージは、例えば、ジオマジック（Ｇｅｏｍａｇｉｃ）社製のジオマジック・スタジオ（Ｇｅｏｍａｇｉｃ  Ｓｔｕｄｉｏ）である。ジオマジック（Ｇｅｏｍａｇｉｃ）社は、アメリカ合衆国、２７７０９、ノースカロライナ州、リサーチ・トライアングル・パーク、３２００  イースト・ハイウェイ  ５４、ケープフィアービルディング、３００号室（３２００  Ｅａｓｔ  Ｈｗｙ  ５４，  Ｃａｐｅ  Ｆｅａｒ  Ｂｕｉｌｄｉｎｇ，  Ｓｕｉｔｅ  ３００，  Ｒｅｓｅａｒｃｈ  Ｔｒｉａｎｇｌｅ  Ｐａｒｋ，ＮＣ，２７７０９）在である。
【０１１３】
この適合は、全ての誤差が、この装置の精度の関数である、ある閾値以下であれば十分であると考えられている。これが行われれば、調節された位置における第２の獲得が雛型となり、次の獲得が、これにマッチングする表面となる。マッチングアルゴリズム中のアドレス可能なパターン情報の頑健さにより、十分な獲得が得られるまで表面形状を補間することなく、小さいセットを小さいセットにマッチングさせることができる。
【０１１４】
図１１は、画像の再構成を支援するために、アドレス可能なパターンを使用することを示すフローチャートである。表面特徴獲得時にアドレス可能なパターンを用いるのは、分離可能な視点の三次元撮像システム中で用いられる対応検索を迂回する方法の１つである。
【０１１５】
開始過程１１００が、多数の画像を獲得する行為で始まるが、各画像がアドレス可能なパターンを含む（アドレス可能なパターンで照射される）（行為１１０２）。通常、各画像は、異なる視点から撮られるが、アドレス可能なパターンは、被写体の表面輪郭に関して静止している。複数の画像はそれぞれ、アドレス可能なパターン情報の少なくとも一部を有し、少なくとも１つの点は、目標とする被写体の少なくとも一面を表現する。当業者は、被写体がその上に様々な点を有しうると理解するであろう。各点は、これから行われる被写体の再構成に関する重要な情報を提供しうる。
【０１１６】
画像中の各点に対してアドレスが割り当てられる（アドレス化行為１１１０）。一般的に、アドレス可能なパターンは、アドレス化行為１１１０中で支援するために参照される被写体上の一連のプロットを提供する。重要であるのは、アドレス可能なパターンは、対称形である必要はなく、通常の一連のマーカーまたは画像を包含する。適切なアドレス可能なパターン情報の非限定的な例には、色シーケンスパターン、異なる形状を有する被写体を有するパターン、および、位置シーケンスパターン、識別可能な被写体特徴または被写体ランドマーク、もしくは、これらの組み合わせが含まれる。アドレス可能なパターンの画像は、種々の方法で、被写体表面上に置かれうる。この適切な方法の非限定的な例には、アドレス可能なパターンの画像を被写体表面上に投影する方法、アドレス可能なパターンの画像を被写体表面上に物理的に置く方法、および、源としての撮像される被写体に固有の特徴を用いる方法が含まれる。
【０１１７】
追加的な画像を獲得する行為を行うか否かをシステムが決定するのを支援する行為１１２０を実装してもよい。この行為は、さらに、獲得画像の適切さを秤量するよう補強されてもよい。例えば、露光中に過度の移動が行われていた画像がセンサーにより検出された場合、この画像は、アルゴリズムにより放棄されてもよい。この場合、最後に獲得された画像が放棄され、過程は、被写体の照射行為１１０２から繰り返される。別の態様では、アドレス可能なパターンを用いて受け取った画像は処理に適したものでありうるが、しかし、被写体を再構成するために、より多くの画像獲得が必要である。この場合、アルゴリズムをさらに補強するために、さらなる決定過程を追加可能である。この一例は、撮像系の視点を調節すべきか否かの決定（行為１１３０）を追加することであるだろう。撮像装置の位置または被写体の所望の領域を移す必要があれば、撮像系または目標とする被写体のいずれかが、視点を調節する行為１１４０のために変えられてもよい。
【０１１８】
画像の全てまたは少なくとも一部分が獲得されれば、各画像内での点間の関係または点情報間の関係を用いて、各点に対する相対的なまたは絶対的な距離情報を演算または決定する。距離情報がわかれば、この情報は、この距離情報を用いて被写体の表現を生成する行為１１６０に供給される。
【０１１９】
図面および関連する詳細な説明は、本発明の実施形態を図解するために提供されるものであり、本発明の範囲を限定する目的で提供されるのではない。明細書中の「１実施形態」または「ある実施形態」への言及は、この実施形態に関連して記載された特定の特徴、構造または特性が、少なくとも本発明の１実施形態中に含まれることを示すことを意図する。明細書中の種々の箇所において記載した「１実施形態中」または「ある実施形態中」との語句は、必ずしも全て同じ実施形態を言及したのではない。
【０１２０】
別途、文脈的に必要としている場合を除いて、本開示中で用いられる、「有する（ｃｏｍｐｒｉｓｅ）」という語句およびその変化形（“ｃｏｍｐｒｉｓｉｎｇ”、“ｃｏｍｐｒｉｓｅｓ”および“ｃｏｍｐｒｉｓｅｄ”）には、他の添加物、要素、整数または工程を排除する意図はない。
【０１２１】
また、本実施形態は、フローチャート、フローダイヤグラム、構造図またはブロック図として表した過程として開示されている点に留意されたい。フローチャートは、作動の種々の工程を、順序だてた過程として開示しうるが、多くの作動は、並行的にまたは同時に実施されうる。図示した工程は、限定的な意図はなく、示した各工程が方法にとって本質的であるとして示す意図はなく、例示的な工程のみである。
【０１２２】
上述の明細書で、本発明は特定の実施形態を参照して記載した。しかしながら、本発明のより広い精神および範囲を離れることなく、種々の修正および変更を行ってもよいことは明らかである。したがって、明細書および図面は、制限的な意味合いではなく、例示的な意味合いで考えられるべきである。本発明は、このような実施形態によって限定されると解釈されるべきではないと理解されるべきである。
【０１２３】
上述の詳細な説明から、本発明は多くの利点を有することが明らかであり、本願中で説明したものもあり、本発明の実施形態中で本来的なものとして記載されたり特許請求されたものもある。修正は、本願中に記載した主題の教示を離れることなく、本願中に記載した装置、装置（apparatus）および方法に対して行われうるという点も理解される。本発明はこのようなものとして、添付の請求項で要求していない限り、記載した実施形態に限定されない。
【図１Ａ】
2010525745.tif 000003
【図１Ｂ】
2010525745.tif 000004
【図１Ｃ】
2010525745.tif 000005
【図１Ｄ】
2010525745.tif 000006
【図２Ａ】
2010525745.tif 000007
【図２Ｂ】
2010525745.tif 000008
【図３Ａ】
2010525745.tif 000009
【図３Ｂ】
2010525745.tif 000010
【図４Ａ】
2010525745.tif 000011
【図４Ｂ】
2010525745.tif 000012
【図４Ｃ】
2010525745.tif 000013
【図５Ａ】
2010525745.tif 000014
【図５Ｂ】
2010525745.tif 000015
【図５Ｃ】
2010525745.tif 000016
【図５Ｄ】
2010525745.tif 000017
【図５Ｅ】
2010525745.tif 000018
【図５Ｆ】
2010525745.tif 000019
【図５Ｇ】
2010525745.tif 000020
【図５Ｈ】
2010525745.tif 000021
【図６Ａ】
2010525745.tif 000022
【図６Ｂ】
2010525745.tif 000023
【図７Ａ】
2010525745.tif 000024
【図７Ｂ】
2010525745.tif 000025
【図７Ｃ】
2010525745.tif 000026
【図７Ｄ】
2010525745.tif 000027
【図８Ａ】
2010525745.tif 000028
【図８Ｂ】
2010525745.tif 000029
【図８Ｃ】
2010525745.tif 000030
【図８Ｄ】
2010525745.tif 000031
【図８Ｅ】
2010525745.tif 000032
【図９】
2010525745.tif 000033
【図１０】
2010525745.tif 000034
【図１１】
2010525745.tif 000035
【国際調査報告】
2010525745.tif 000036
2010525745.tif 000037
2010525745.tif 000038